(57)【要約】香水スプレーのパッケージングから音を発する装置。このパッケージング（３）（５）は、小型スピーカー（８）、小型電気部品（７）および小型電池（６）など、音を発する装置の種々の小型部品を含むような形状であり、スプレーボトル（１）の押しボタン（２）を押すことによって動作（９）（１３）し、音の広がりと香水の広がりとが同じ方向（１０）、（１１）である。【選択図】図１
2009525772.tif 000002
【特許請求の範囲】
【請求項１】
スプレーのボタンを押している間に動作する種類の、香水スプレーのパッケージングから音を発する装置であって、
ボタン（２）に取り付けられ、このボタンの動作の間に閉または開となる電気的な接点（９，１３）を備え、スプレー口から香水が噴霧される方向（１１）と小型スピーカー（８）から音が発せられる方向（１０）とが近接して同じ向きとなるように配置された小型スピーカー（８）を含む、第１の部分（３）を有し、
前記第１の部分は、前記音を発する装置における他の小型部品を収容可能な少なくとも一つの第２の部分（５）とともに機能する、香水スプレーのパッケージングから音を発する装置。
【請求項２】
前記第２の部分（５）は、前記音を発する装置における全ての小型部品（６，７および８）を互いに最も近づけて収容できるように、細長く、
前記第２の部分（５）は、前記スプレーの表面への簡単な取り付けによって組み立てられている請求項１に記載の香水スプレーのパッケージングから音を発する装置。
【請求項３】
前記取り付け面が、前記スプレーの壁面に作られた窪み（１２）である請求項１および２に記載の香水スプレーのパッケージングから音を発する装置。
【発明の詳細な説明】
【技術分野】
【０００１】
本発明は、既知の種類の香水スプレーであって、このスプレーのボタンが動作する間に起動して音声メッセージを発する装置を備えた香水スプレーに関する。
【０００２】
したがってこれらのスプレーでは、香水の芳香の発散と、スプレーされた香水単独で得られる楽しさを補うと考えられる音楽および／または言葉の内容の音声メッセージの発生とが組み合わされている。
【発明の開示】
【０００３】
本発明は、これらのスプレーに関し、携帯電話、ディクタフォン型の小型ポケットレコーダー、ＭＰ３音楽プレーヤーなどのよく知られ、現在市場に出回っており広く入手可能な機器の性能−最も単純なものから最も複雑なものまで−を備えることを第１の目的とする。より正確に言えば、本発明は、小型電池、小型回路、マイクロフォン、小型スピーカーなどの容易に入手可能な小型部品により構築され、これらの小型部品のそれぞれがその小さいサイズによって選択されており、音源からの距離が弱い場合においても容易に聞き取れるだけの十分な出力の音声出力メッセージを伝えることが可能である、いかなる種類の音発生装置を、スプレーと組み合わせて備えることを目的とする。
【０００４】
本発明は、スプレーの使用者による音声メッセージの聞き取りに対して、噴霧の程度と心地よい聞き取りとが最適になされるように、芳香および音声メッセージが連携して発せられる構成を有する、スプレー用音発生装置であるパッケージングを提供することを第２の目的とする。
【０００５】
本発明の第３の目的は、新しく、感じよいデザインと見た目の良さとを各種のスプレーに与えることができる一方で、要望に応じて形状が異なるスプレーボトルと容易に組み合わせることができるように構成され、形態をとることが可能な、音発生装置であるパッケージングの提供である。
【０００６】
即ち、本発明の対象物は、スプレーのボタンが押される間に動作する種類の、香水スプレー用音発生装置であるパッケージングであって、前記ボタンに取り付けられ、このボタンの動作の間に閉または開となる電気的な接点を備え、スプレー口から香水が噴霧される方向と小型スピーカーから音が発せられる方向とが近接して同じ向きとなるように配置された小型スピーカーを含む第１の部分を有し、前記第１の部分は、前記音発生装置における他の小型部品を収容可能な少なくとも一つの第２の部分とともに機能する。
【０００７】
本発明の一つの特徴によれば、この第２の部分は、音発生装置における全ての小型部品を互いに最も近づけて収容できるように、最小の断面積と最大の長さとを有しており、最小の厚さのパッケージングは、スプレーの表面への簡単な取り付けによって組み立てられている。
【０００８】
一つの特徴ある構成によれば、この表面は、スプレーの壁面に作られた窪みである。
【０００９】
このように、非常に包括的に定められた本発明は、スプレーがとりうる全ての形状に適用可能となるように、様々に実施できる。
【発明を実施するための最良の形態】
【００１０】
以下の記載により、本発明の特徴および利点について、添付する図面を参照しながら説明する。
【００１１】
まず図１に、一般的な直方体の形状のボトル１を有し、スプレー口を有するボタン２を備え、音声装置の作動および停止動作を行うスイッチ１３を備えるスプレーを示す。本発明のパッケージングは、ボトルの上面に取り付けられた第１の部分３を有し、当該部分はボタン２を取り囲んでいる。
【００１２】
ボタン２は、当該ボタンが押されたときに、決められた角度の方向にボタンとスプレー口とを保持するために、部分３の垂直溝に沿ってスライド可能な小さな垂直突起４を有している。ボタンをその角度の位置に固定する他の任意の手段を用いることが可能である。
【００１３】
このパッケージングは、スプレーボトル１の正面となる垂直な壁面への取り付けのために直角に折り曲げられた、もう一つの細長い部分５を有する。この細長い部分５は、内部に、最小の高さおよび幅がその断面において選択された空洞を有する。それ故、音発生装置の小型部品を次々に配置することができる。以下に限定されないが、小型部品は、４つの円柱平板状小型電池６、音声メッセージを録音および記録する小型電気回路７、ならびに符号９で図示される電気的な接点が上記ボタンによって動作したときに起動される、小型スピーカー８への小型回路の結線を含む。
【００１４】
より工夫された形態では、最小の形状がボールペンと同等となりうる小型ポケットレコーダーでなされているように、マイクロフォンの機能が加えられていてもよい。
【００１５】
スピーカー８は、ボタン２にできるだけ近接して配置される。スピーカー８は、音を発する方向１０と、スプレー口から芳香が発散される方向１１とが平行になるように方向が定められていることが好ましい。
【００１６】
この例では、用いた小型部品の厚さにより許容される程度に薄い、細長いパッケージング５が、スプレーボトル正面となる壁面に作られた凹部１２内に収容されている。必要であれば、あるいは単純に好ましいならば、上記パッケージングが少し壁面上にはみ出ていてもよい。
【００１７】
図２は、上述したようなパッケージングを備える、一般的な円柱の形状のスプレーボトルに対応する。
【００１８】
図３は、図１および２の２つのスプレーの側面図である。
【００１９】
図４から１１では、ボトルの形状と同様に、ボトルに取り付けられる本発明のパッケージングの形状および配置に関して、本発明の様々な形態を模式的に示す。
【００２０】
図４は、図１のスプレーに類似したスプレーである。このスプレーでは、卵形のパッケージングがボトルの上面に取り付けられ、そして小さな側面に折り曲げられていること、ならびにここで使われているボタンの種類が柔軟な膜であることが、図１のスプレーとは異なる。
【００２１】
図５では、細長いパッケージングとして、曲面を有する形状を選べることが示されている。
【００２２】
図６は、円柱平板の形状のボトルに関し、パッケージングは円形の面に取り付けられている。
【００２３】
図７および８によれば、それぞれパッケージングは、ボタンの一方の側面あるいは双方の側面に配置される。
【００２４】
図９は、スプレーボトルが球の形状である場合に対応している。
【００２５】
最後に、図１０および１１に、ＭＰ３音楽プレーヤー型マイクロプロセッサーの台座１４を備え、新しく録音した音をダウンロード可能なＵＳＢ端子入力１５を備えるスプレーボトル１を示す。
【００２６】
考えられる全ての形状のスプレーに対しても、スプレー全体の外観の中でより控えめに見えるような構成およびサイズを有する音発生装置を組み合わせることができ、香水名、香水メーカーの商標など、このタイプのスプレーに習慣的になされる記載のためにパッケージングの壁面を使用できるという本発明の利点について、今やよく理解できる。
【００２７】
本発明のこれまでの記載により、その必要不可欠な特徴は明らかである。可能性ある応用の全てを、容易に想像できる。
【００２８】
特に、スプレー口を備えるボタンを用いた、小型の円柱形状を有するスプレーの様々な形態について、様々な図面に示し、記載してきた。柔軟な膜を備えるなどの他の種類のボタンを使用できることは明らかであろう。大切なことは、スプレー口と小型スピーカーとを互いにより接近させ、香水を噴霧する方向と音を発する方向とが近接して平行となるように注意することである。
【図面の簡単な説明】
【００２９】
【図１】図１は、本発明によるパッケージングを備えた、一般的な直方体の形状のスプレーを模式的に示す斜視図である。
【図２】図２は、一般的な円柱の形状のスプレーに関する。
【図３】図３は、図１および２のスプレーの側面図である。
【図４】図４は、本発明の応用例を示す模式図である。
【図５】図５は、本発明の応用例を示す模式図である。
【図６】図６は、本発明の応用例を示す模式図である。
【図７】図７は、本発明の応用例を示す模式図である。
【図８】図８は、本発明の応用例を示す模式図である。
【図９】図９は、本発明の応用例を示す模式図である。
【図１０】図１０は、本発明の応用例を示す模式図である。
【図１１】図１１は、本発明の応用例を示す模式図である。
【図１】
2009525772.tif 000003
【図２】
2009525772.tif 000004
【図３】
2009525772.tif 000005
【図４】
2009525772.tif 000006
【図５】
2009525772.tif 000007
【図６】
2009525772.tif 000008
【図７】
2009525772.tif 000009
【図８】
2009525772.tif 000010
【図９】
2009525772.tif 000011
【図１０】
2009525772.tif 000012
【図１１】
2009525772.tif 000013
【国際調査報告】
2009525772.tif 000014
2009525772.tif 000015
2009525772.tif 000016
2009525772.tif 000017